(57)【特許請求の範囲】
【請求項１】
軸線方向に移動可能に設けられるとともに、前記軸線の回りの周方向に回転可能に設けられる回転シェードであって、
前記軸線の回りに形成された第一円柱面を有し、前記軸線方向一の側に端面を有する大径部と、
前記第一円柱面が占める周方向の範囲と同じ範囲で前記軸線の回りに形成されるとともに前記第一円柱面の半径よりも小さい半径となる第二円柱面を有し、前記大径部における軸線方向他の側に連なる小径部と、
前記第一円柱面と前記第二円柱面の境界となる段差部と、を備え、
前記段差部が、前記第一円柱面と前記第二円柱面を繋ぐとともに前記軸線の回りに形成された螺旋面を有することを特徴とする車両用灯具の回転シェード。
【請求項２】
前記端面が前記軸線に対して垂直であることを特徴とする請求項１に記載の車両用灯具の回転シェード。
【請求項３】
前記軸線の回りに形成された第三円柱面を有し、前記軸線に直交する断面が扇形状であり、前記大径部における軸線方向一の側に連なる扇形柱部を更に備え、
前記第三円柱面が占める周方向の範囲が、前記第一円柱面及び前記第二円柱面が占める周方向の範囲内に含まれることを特徴とする請求項１又は２に記載の車両用灯具の回転シェード。
【請求項４】
前記段差部が、前記螺旋面における前記軸線方向他の側に連なり、前記第一円柱面と前記第二円柱面を繋ぎ、前記第一円柱面から前記第二円柱面にむけて下りに傾斜した傾斜面を更に有し、
前記第三円柱面が占める周方向の範囲が、前記傾斜面が占める周方向の範囲内に含まれることを特徴とする請求項３に記載の車両用灯具の回転シェード。
【請求項５】
前記傾斜面が、前記第一円柱面から前記第二円柱面にむけて縮径するよう前記軸線の回りに形成された円錐面であることを特徴とする請求項４に記載の車両用灯具の回転シェード。
【請求項６】
前記第三円柱面の半径が、前記第一円柱面の半径よりも小さく、
前記大径部が、前記第一円柱面と前記第三円柱面を繋ぐとともに前記第一円柱面から前記第三円柱面にむけて下りに傾斜した段差面を有することを特徴とする請求項３から５の何れか一項に記載の車両用灯具の回転シェード。
【請求項７】
前記第一円柱面及び前記第二円柱面が占める周方向の範囲が、１８０°であり、
前記小径部が、前記第二円柱面の周方向一の側の縁と他の側の縁とを繋いで前記軸線を通る平坦面を有し、
前記扇形柱部の扇形断面の中心角を挟む二面のうち一方が、前記平坦面と面一に設けられていることを特徴とする請求項３から６の何れか一項に記載の車両用灯具の回転シェード。
【請求項８】
光源と、
前記光源からの光を前方に反射させるリフレクタと、
前記リフレクタからの反射光を前方に投影する投影レンズと、
前記投影レンズの後ろ側焦点の近傍で左右に延在し、左右の軸線方向に移動可能に設けられるとともに、前記軸線の回りの周方向に回転可能に設けられる回転シェードと、を備え、
前記回転シェードが、
前記軸線の回りに形成された第一円柱面を有し、前記軸線方向一の側に端面を有する大径部と、
前記第一円柱面が占める周方向の範囲と同じ範囲で前記軸線の回りに形成されるとともに前記第一円柱面の半径よりも小さい半径となる第二円柱面を有し、前記大径部における軸線方向他の側に連なる小径部と、
前記第一円柱面と前記第二円柱面の境界となる段差部と、を備え、
前記段差部が、前記第一円柱面と前記第二円柱面を繋ぐとともに前記軸線の回りに形成された螺旋面を有することを特徴とする車両用灯具。
【請求項９】
前記端面が前記軸線に対して垂直であることを特徴とする請求項８に記載の車両用灯具。
【請求項１０】
前記軸線の回りに形成された第三円柱面を有し、前記軸線に直交する断面が扇形状であり、前記大径部における軸線方向一の側に連なる扇形柱部を更に備え、
前記第三円柱面が占める周方向の範囲が、前記第一円柱面及び前記第二円柱面が占める周方向の範囲内に含まれることを特徴とすることを特徴とする請求項８又は９に記載の車両用灯具。
【請求項１１】
前記段差部が、前記螺旋面における前記軸線方向他の側に連なり、前記第一円柱面と前記第二円柱面を繋ぎ、前記第一円柱面から前記第二円柱面にむけて下りに傾斜した傾斜面を更に有し、
前記第三円柱面が占める周方向の範囲が、前記傾斜面が占める周方向の範囲内に含まれることを特徴とする請求項１０に記載の車両用灯具。
【請求項１２】
前記傾斜面が、前記第一円柱面から前記第二円柱面にむけて縮径するよう前記軸線の回りに形成された円錐面であることを特徴とする請求項１１に記載の車両用灯具。
【請求項１３】
前記第三円柱面の半径が、前記第一円柱面の半径よりも小さく、
前記大径部が、前記第一円柱面と前記第三円柱面を繋ぐとともに前記第一円柱面から前記第三円柱面にむけて下りに傾斜した段差面を有することを特徴とする請求項１０から１２の何れか一項に記載の車両用灯具。
【請求項１４】
前記第一円柱面及び前記第二円柱面が占める周方向の範囲が、１８０°であり、
前記小径部が、前記第二円柱面の周方向他の側の縁と一の側の縁とを繋いで前記軸線を通る平坦面を有し、
前記扇形柱部の扇形断面の中心角を挟む二面のうち一方が、前記平坦面と面一に設けられていることを特徴とする請求項１０から１３の何れか一項に記載の車両用灯具。
【請求項１５】
前記回転シェードを前記軸線方向に移動させる直動駆動部と、
前記回転シェードを前記軸線の回りの周方向に回転させる回転駆動部と、を更に備えることを特徴とする請求項８から１４の何れか一項に記載の車両用灯具。
【発明の詳細な説明】
【技術分野】
【０００１】
本発明は、車両用灯具及びその回転シェードに関する。
【背景技術】
【０００２】
従来のプロジェクタ型車両用灯具では、シェードが投影レンズの焦点近傍に配置され、バルブが楕円面系リフレクタの第一焦点近傍に配置され、楕円面系リフレクタの第二焦点が投影レンズの焦点近傍に配置されている。バルブから発した光が楕円面系リフレクタによって前方に反射され、その反射光の一部がシェードによって遮光され、遮光されない反射光が投影レンズによって前方に投射される。シェードによって遮光されるから、対向車の運転手は眩惑しない。
【０００３】
遮光範囲を変化させるべく、シェードが可動式となっているものがある。特許文献１に記載のプロジェクタ型車両用灯具では、シェードが左右方向に延びた軸線の回りに回転可能となっており、シェードの周面には、複数の遮光板が凸設されている。これら遮光板の径外方向端部の縁の形状が遮光板ごとに異なっており、シェードが回転することによって、最上位に位置する遮光板が切り替わる。これにより、遮光範囲が変化して、配光パターンが変化する。
【０００４】
特許文献１の記載のプロジェクタ型車両用灯具は、遮光板の切替によって配光パターンを段階的に変化させるものである。一方、特許文献２に記載のプロジェクタ型車両用灯具は、配光パターンを無段階的（連続的）に変化させるものである。
【０００５】
特許文献２に記載のプロジェクタ型車両用灯具のシェードは、小径部と大径部と円錐部が同軸に設けられ、円錐部が小径部と大径部の間に設けられ、これらの軸が左右方向に延びたものである。このシェードは、左右方向に移動可能に設けられているとともに、そのシェードの軸線からずれた偏心軸の回りに回転可能に設けられている。シェードがモータによって偏心軸回りに回転すると、小径部、大径部及び円錐部の上側の接平面が上下動する。これによって、遮光範囲が上下に変化し、配光パターンの下側の明部と上側の暗部を仕切るカットオフラインが上下動する。このカットオフラインは、小径部の水平な接平面によって形成される上段の水平カットオフラインと、大径部の水平な接平面によって形成される下段の水平カットオフラインと、円錐部の斜めな接平面によって形成される斜めカットオフラインと、からなるものである。一方、シェードがモータによって左右に移動すると、斜めカットオフラインの位置が左右に変化する。
【先行技術文献】
【特許文献】
【０００６】
【特許文献１】特開２０１０−０４０４８３号公報
【特許文献２】特開平７−２１８０３号公報
【発明の概要】
【発明が解決しようとする課題】
【０００７】
ところが、特許文献２に記載の技術では、シェードの左右の動きに応じて斜めカットオフラインが左右に移動するので、対向車の運転手が眩惑してしまうことがある。
また、シェードが小径部、大径部及び円錐部からなり、カットオフラインの形状は小径部、大径部及び円錐部の上側の接平面に応じた形状となるから、カットオフラインの位置を変化させることができたものとして、カットオフラインの基本的な形状は変化させることができない。例えば、対向車がいない場合、光軸を通る鉛直面よりも右側の照射範囲（明部）を、光軸を通る水平面よりも上に大きく広げつつ、光軸を通る鉛直面よりも左側の照射範囲を、光軸を通る水平面よりも下のみにすることはできない。
そこで、本発明が解決しようとする課題は、斜めカットオフラインが形成される位置を固定するとともに、上下方向の照射範囲を左右非対称にできるようにし、更に左側又は右側の照射範囲を左右に移動できるようにすることである。
【課題を解決するための手段】
【０００８】
以上の課題を解決するために、本発明に係る車両用灯具の回転シェードは、軸線方向に移動可能に設けられるとともに、前記軸線の回りの周方向に回転可能に設けられる回転シェードであって、前記軸線の回りに形成された第一円柱面を有し、前記軸線方向一の側に端面を有する大径部と、前記第一円柱面が占める周方向の範囲と同じ範囲で前記軸線の回りに形成されるとともに前記第一円柱面の半径よりも小さい半径となる第二円柱面を有し、前記大径部における軸線方向他の側に連なる小径部と、前記第一円柱面と前記第二円柱面の境界となる段差部と、を備え、前記段差部が、前記第一円柱面と前記第二円柱面を繋ぐとともに前記軸線の回りに形成された螺旋面を有する。
【０００９】
また、本発明に係る車両用灯具は、光源と、前記光源からの光を前方に反射させるリフレクタと、前記リフレクタからの反射光を前方に投影する投影レンズと、前記投影レンズの後ろ側焦点の近傍で左右に延在し、左右の軸線方向に移動可能に設けられるとともに、前記軸線の回りの周方向に回転可能に設けられる回転シェードと、を備え、前記回転シェードが、前記軸線の回りに形成された第一円柱面を有し、前記軸線方向一の側に端面を有する大径部と、前記第一円柱面が占める周方向の範囲と同じ範囲で前記軸線の回りに形成されるとともに前記第一円柱面の半径よりも小さい半径となる第二円柱面を有し、前記大径部における軸線方向他の側に連なる小径部と、前記第一円柱面と前記第二円柱面の境界となる段差部と、を備え、前記段差部が、前記第一円柱面と前記第二円柱面を繋ぐとともに前記軸線の回りに形成された螺旋面を有する。
【００１０】
好ましくは、前記端面が前記軸線に対して垂直である。
【００１１】
好ましくは、前記回転シェードが、前記軸線の回りに形成された第三円柱面を有し、前記軸線に直交する断面が扇形状であり、前記大径部における軸線方向一の側に連なる扇形柱部を更に備え、前記第三円柱面が占める周方向の範囲が、前記第一円柱面及び前記第二円柱面が占める周方向の範囲内に含まれる。
【００１２】
好ましくは、前記段差部が、前記螺旋面における前記軸線方向他の側に連なり、前記第一円柱面と前記第二円柱面を繋ぎ、前記第一円柱面から前記第二円柱面にむけて下りに傾斜した傾斜面を更に有し、前記第三円柱面が占める周方向の範囲が、前記傾斜面が占める周方向の範囲内に含まれる。
【００１３】
好ましくは、前記傾斜面が、前記第一円柱面から前記第二円柱面にむけて縮径するよう前記軸線の回りに形成された円錐面である。
【００１４】
好ましくは、前記第三円柱面の半径が、前記第一円柱面の半径よりも小さく、前記大径部が、前記第一円柱面と前記第三円柱面を繋ぐとともに前記第一円柱面から前記第三円柱面にむけて下りに傾斜した段差面を有する。
【００１５】
好ましくは、前記第一円柱面及び前記第二円柱面が占める周方向の範囲が、１８０°であり、前記小径部が、前記第二円柱面の周方向一の側の縁と他の側の縁とを繋いで前記軸線を通る平坦面を有し、前記扇形柱部の扇形断面の中心角を挟む二面のうち一方が、前記平坦面と面一に設けられている。
【００１６】
好ましくは、前記車両用灯具が、前記回転シェードを前記軸線方向に移動させる直動駆動部と、前記回転シェードを前記軸線の回りの周方向に回転させる回転駆動部と、を更に備える。
【発明の効果】
【００１７】
本発明によれば、第二円柱面の半径が第一円柱面の半径よりも小さいので、第一円柱面と第二円柱面の水平な接平面によって、段違いのカットオフラインが形成される。第一円柱面と第二円柱面の段差部に螺旋面が形成され、その螺旋面のうち第二円柱面の水平な接平面よりも上に突き出た部分によって、斜めカットオフラインが形成される。
また、大径部は軸線方向一の側に端面を有するから、端面よりも軸線方向一の側では光が遮光されず、端面よりも軸線方向他の側では光が遮光される。そのため、光軸よりも軸線方向一の側では、光軸を通る水平面よりも上が明部とならず、光軸よりも軸線方向他の側では、光軸を通る水平面よりも上が明部となる。したがって、照射範囲が、軸線方向一の側と他の側とでは非対称になる。
また、回転シェードが軸線方向に移動可能であるから、端面の軸線方向の位置が変化し、光軸を通る水平面よりも上の明部と暗部の境界線が軸線方向に移動する。そのような明暗境界線の移動が、回転シェードの回転ではなく、回転シェードの直動によってもたらされるから、遮光される光を最小限に抑えることができる。そのような明暗境界線の移動が、投影レンズやリフレクタの動きではなく、回転シェードの動きによって実現されたので、光軸が左右に振れない。そのため、運転手は前方の見え方の変化に違和感を覚えない。
また、第一円柱面と第二円柱面の段差が螺旋面であるから、回転シェードが軸線方向に移動するものとしても、その螺旋面のうち第二円柱面の水平な接平面よりも上に突き出た部分の位置は変わらない。そのため、斜めカットオフラインの位置が変わらず、対向車の運転手が眩惑しないようにすることができる。
【図面の簡単な説明】
【００１８】
【図１】本発明の実施形態に係る回転シェードの斜視図である。
【図２】同実施形態に係る回転シェードの斜視図である。
【図３】同実施形態に係る回転シェードの正面図である。
【図４】同実施形態に係る回転シェードの平面図である。
【図５】同実施形態に係る回転シェードの底面図である。
【図６】同実施形態に係る回転シェードの背面図である。
【図７】VII−VII断面図である。
【図８】VIII−VIII断面図である。
【図９】IX−IX断面図である。
【図１０】X−X断面図である。
【図１１】XI−XI断面図である。
【図１２】同実施形態に係る車両用灯具の要部の前方斜視図である。
【図１３】同実施形態に係る車両用灯具の分解斜視図である。
【図１４】（ａ）図は、回転シェードを前から見て示した図面であり、（ｂ）図は、回転シェードが（ａ）図に示す位置にある場合に形成されるロービーム用の配光パターンを示したものである。
【図１５】（ａ）図は、回転シェードを前から見て示した図面であり、（ｂ）図は、回転シェードが（ａ）図に示す位置にある場合に形成されるハイビーム用の配光パターンを示したものである。
【図１６】（ａ）図は、回転シェードを前から見て示した図面であり、（ｂ）図は、回転シェードが（ａ）図に示す位置にある場合に形成されるＡＤＢ（Adaptive Driving Beam）用の配光パターンを示したものである。
【図１７】（ａ）図は、回転シェードを前から見て示した図面であり、（ｂ）図は、回転シェードが（ａ）図に示す位置にある場合に形成されるＡＤＢ用の配光パターンを示したものである。
【図１８】（ａ）図は、回転シェードを前から見て示した図面であり、（ｂ）図は、回転シェードが（ａ）図に示す位置にある場合に形成されるＡＤＢ用の配光パターンを示したものである。
【発明を実施するための形態】
【００１９】
以下に、本発明を実施するための形態について図面を用いて説明する。但し、以下に述べる実施形態には、本発明を実施するために技術的に好ましい種々の限定が付されているが、発明の範囲を以下の実施形態及び図示例に限定するものではない。
【００２０】
図１は、プロジェクタ型車両用灯具の回転シェード５０の前方斜視図である。図２は、回転シェード５０の後方斜視図である。図３は、回転シェード５０の正面図である。図４は、回転シェード５０の平面図である。図５は、回転シェード５０の底面図である。図６は、回転シェード５０の背面図である。図７は、図３に示されたVII−VIIに沿った面の矢視断面図である。図８は、図３に示されたVIII−VIIIに沿った面の矢視断面図である。図９は、図３に示されたIX−IXに沿った面の矢視断面図である。図１０は、図３に示されたX−Xに沿った面の矢視断面図である。図１１は、図３に示されたXI−XIに沿った面の矢視断面図である。図１〜図１１の説明では、回転シェード５０の後方から回転シェード５０に向かって見て、「左」、「右」を定める。
【００２１】
図１〜図６に示すように、回転シェード５０の基本的構成態様は、左右方向に延びた棒状である。回転シェード５０は、左右方向に延びた軸線５１を有する。回転シェード５０は、左右両側に回転軸５２，５３をそれぞれ備える。回転軸５２，５３は、軸線５１を中心線とするとともに、同軸となっている。回転軸５２，５３のラジアル荷重が軸受に支持されることによって、回転シェード５０が軸線５１の方向に移動可能に設けられるとともに、軸線５１を中心にして軸線５１の回りの周方向に回転に設けられる。
【００２２】
回転シェード５０は、左右中央部に第一扇形柱部５４、大径部５５及び小径部５６を備える。大径部５５が第一扇形柱部５４の右側に連なり、小径部５６が大径部５５の右側に連なる。また、回転シェード５０は、第一扇形柱部５４と回転軸５２との間に第二扇形柱部５７を備えるとともに、小径部５６と回転軸５３との間に第三扇形柱部５８を備える。第二扇形柱部５７は、回転軸５２の右側に連なるとともに、第一扇形柱部５４の左側に連なる。第三扇形柱部５８は、小径部５６の右側に連なるとともに、回転軸５３の左側に連なる。
【００２３】
図１〜図７に示すように、大径部５５は、軸線５１の回りに形成された第一円柱面５５ａを有する。図１〜図６、図８に示すように、小径部５６は、軸線５１に直交する断面が扇形状であって、軸線５１の回りに形成された第二円柱面５６ａを有する。図１〜図６、図９に示すように、第一扇形柱部５４は、軸線５１に直交する断面が扇形状であって、軸線５１の回りに形成された第三円柱面５４ａを有する。
【００２４】
第一扇形柱部５４の断面扇形の中心角ａが鋭角である。例えば、中心角ａは４５°である。図７、図９に示すように、第三円柱面５４ａの半径は、第一円柱面５５ａの半径よりも大きい。第一円柱面５５ａが占める周方向の範囲は、第三円柱面５４ａが占める周方向の範囲よりも広く、第一円柱面５５ａの中心角ｂが第三円柱面５４ａの中心角ａよりも大きい。例えば、中心角ｂは１８０°である。第三円柱面５４ａが占める周方向の範囲は、第一円柱面５５ａが占める周方向の範囲内に含まれている。そして、左から右に向かって見て、第三円柱面５４ａの反時計回り側の縁５４ｂと、第一円柱面５５ａの反時計回り側の縁５５ｂとは、周方向の位置が揃っている。
【００２５】
また、図１〜図７に示すように、大径部５５は、第一円柱面５５ａの左側に段差面５５ｄを有する。その段差面５５ｄは、第一円柱面５５ａの左縁と第三円柱面５４ａの右縁を繋ぐとともに、第一円柱面５５ａから第三円柱面５４ａにむけて下りに傾斜している。段差面５５ｄが占める周方向の範囲は、第一円柱面５５ａが占める周方向の範囲よりも狭く、第三円柱面５４ａが占める周方向の範囲よりも広い。左から右に向かって見て、段差面５５ｄの反時計回り側の縁５５ｅと、第三円柱面５４ａの反時計回り側の縁５４ｂとは、周方向の位置が揃っている。第一円柱面５５ａと段差面５５ｄの境界線５５ｆのうち反時計回り側の部分（第三円柱面５４ａと周方向の位置が重なった部分）は、軸線５１を中心とした円弧状に形成されている。境界線５５ｆのうち時計回り側の部分は、軸線５１を中心とした左ねじの螺旋状に形成され、特にスプライン曲線による螺旋状に形成されている。ここで、段差面５５ｄは、第一円柱面５５ａの左縁と第三円柱面５４ａの右縁を繋ぐ斜線を境界線５５ｆに沿って平行移動して得られた面である。
【００２６】
大径部５５は、左側に端面５５ｇを有する。端面５５ｇは、軸線５１に対して垂直な面である。端面５５ｇは、大径部５５の左端のうち第一扇形柱部５４に重なっていない露出面であるとともに、軸線５１を中心にした略扇形を成しており、端面５５ｇの中心角は、第一円柱面５５ａの中心角ｂと第三円柱面５４ａの中心角ａの差に等しい。
【００２７】
図１〜図９に示すように、小径部５６の第二円柱面５６ａの半径は、大径部５５の第一円柱面５５ａの半径よりも小さい。第二円柱面５６ａの半径は、第一扇形柱部５４の第三円柱面５４ａの半径と等しいことが好ましい。第二円柱面５６ａの中心角ｃが第一円柱面５５ａの中心角ｂに等しく、例えば、その中心角ｃが１８０°である。第二円柱面５６ａが占める周方向の範囲と、第一円柱面５５ａが占める周方向の範囲とは同じである。そのため、左から右に向かって見て、第一円柱面５５ａの反時計回り側の縁５５ｂと、第二円柱面５６ａの反時計回り側の縁５６ｂとは、周方向の位置が揃っているとともに、第一円柱面５５ａの時計回り側の縁５５ｃと、第二円柱面５６ａの時計回り側の縁５６ｃとは、周方向の位置が揃っている。
【００２８】
第一円柱面５５ａの中心角ｂと、第二円柱面５６ａの中心角ｃが１８０°である場合、小径部５６は、第一円柱面５５ａ及び第二円柱面５６ａの直径を通る平坦面（直径面）５６ｄを有する。平坦面５６ｄは、第一円柱面５５ａ及び第二円柱面５６ａの直径を軸線５１に沿って平行移動して得られる面である。この平坦面５６ｄは、左から右に向かって見て、第二円柱面５６ａの反時計回りの縁５６ｂと、第二円柱面５６ａの時計回り側の縁５６ｃとを繋ぐ。また、この平坦面５６ｄは、第一扇形柱部５４の平坦面５４ｄと面一に設けられている。ここで、左から右に向かって見て、平坦面５４ｄは反時計回りの向きの面であり、平坦面５４ｅは時計回りの向きの面である（図９参照）。
【００２９】
第二円柱面５６ａの半径が第一円柱面５５ａの半径よりも小さいので、第一円柱面５５ａと第二円柱面５６ａの境界が段差部５９となっている。段差部５９は、螺旋面５９ａと、傾斜面５９ｂとから構成されている。
【００３０】
螺旋面５９ａは、軸線５１の回りに形成された左ねじの螺旋面である。螺旋面５９ａは、第一円柱面５５ａの右側と第二円柱面５６ａの左側を繋ぐ。螺旋面５９ａと第一円柱面５５ａの境界線は、第一円柱面５５ａと段差面５５ｄの境界線５５ｆのうち時計回り側の螺旋部分と平行である（図４、図６等参照）。
【００３１】
傾斜面５９ｂは、螺旋面５９ａの右縁に連なる。傾斜面５９ｂは、第一円柱面５５ａの右側と第二円柱面５６ａの左側を繋ぐとともに、第一円柱面５５ａから第二円柱面５６ａにむけて下りに傾斜している。具体的には、傾斜面５９ｂは、軸線５１の回りに形成された円錐面であって、第一円柱面５５ａ側から第二円柱面５６ａにむけて縮径するように形成されたものである。傾斜面５９ｂの勾配は、段差面５５ｄの勾配よりも大きい。傾斜面５９ｂと第一円柱面５５ａの境界線は、第一円柱面５５ａと段差面５５ｄの境界線５５ｆのうち反時計回り側の円弧部分と平行である（図４等参照）。
【００３２】
図１〜図６及び図１０に示すように、第二扇形柱部５７は、軸線５１に直交する断面が扇形状であって、軸線５１の回りに形成された第四円柱面５７ａを有する。第四円柱面５７ａの半径は、第一円柱面５５ａの半径よりも小さい。また、第四円柱面５７ａの半径は、第三円柱面５４ａの半径と等しいことが好ましい。図９、図１０に示すように、第四円柱面５７ａが占める周方向の範囲は、第三円柱面５４ａが占める周方向の範囲よりも広く、第四円柱面５７ａの中心角ｃが第三円柱面５４ａの中心角ａよりも小さい。例えば、中心角ｄは１３５°である。第三円柱面５４ａが占める周方向の範囲は、第四円柱面５７ａが占める周方向の範囲内に含まれている。そして、左から右に向かって見て、第四円柱面５７ａの時計回り側の縁５７ｃと、第三円柱面５４ａの時計回り側の縁５４ｃとは、周方向の位置が揃っている。また、図７〜図１０に示すように、第四円柱面５７ａが占める周方向の範囲と、第一・第二円柱面５５ａ，５６が占める周方向の範囲とが一部重なっている。第三円柱面５４ａが占める周方向の範囲は、その重なった範囲内に含まれている。
【００３３】
そして、第二扇形柱部５７の扇形断面の中心角ｄを挟む二つの平坦面５７ｄ，５７ｅのうち一方の平坦面５７ｅは、第一扇形柱部５４の扇形断面の中心角ａを挟む二つの平坦面５４ｄ，５４ｅのうち一方の平坦面５４ｅと面一に設けられている。ここで、左から右に向かって見て、平坦面５７ｄは反時計回りの向きの面であり、平坦面５７ｅは時計回りの向きの面である（図１０参照）。
【００３４】
図１〜図６及び図１１に示すように、第三扇形柱部５８は、軸線５１に直交する断面が扇形状であって、軸線５１の回りに形成された第五円柱面５８ａを有する。第五円柱面５８ａの半径は、第一円柱面５５ａの半径よりも小さい。また、第五円柱面５８ａの半径は、第二円柱面５６ａの半径と等しいことが好ましい。図７〜図１１に示すように、第五円柱面５８ａが占める周方向の範囲は、第一〜第四円柱面５５ａ，５６ａ，５４ａ，５７ａが占める周方向の範囲よりも広く、第五円柱面５８ａの中心角ｅが最も大きい。例えば、中心角ｅは２７０°である。第一〜第四円柱面５５ａ，５６ａ，５４ａ，５７ａが占める周方向の範囲は、第五円柱面５８ａが占める周方向の範囲内に含まれている。そして、左から右に向かって見て、第五円柱面５８ａの反時計回り側の縁５８ｂと、第四円柱面５７ａの反時計回り側の縁５７ｂとは、周方向の位置が揃っている。また、左から右に向かって見て、第五円柱面５８ａの時計回り側の縁５８ｃと、第二・第四円柱面５６ａ，５７ａの時計回り側の縁５５ｃ，５６ｃとは、周方向の位置が揃っている。
【００３５】
そして、第三扇形柱部５８の扇形断面の中心角ｅを挟む二つの平坦面５８ｄ，５８ｅのうち一方の平坦面５８ｄは、第二扇形柱部５７の平坦面５７ｄに揃っている。もう一方の平坦面５８ｅは、小径部５６の平坦面５６ｄと面一に設けられている。ここで、左から右に向かって見て、平坦面５８ｄは反時計回りの向きの面であり、平坦面５７ｅは時計回りの向きの面である（図１１参照）。
【００３６】
なお、以上の説明では、第三円柱面５４ａ及び第四円柱面５７ａの半径が第一円柱面５５ａの半径よりも小さく、第三円柱面５４ａと第一円柱面５５ａとの間に段差面５５ｄが形成されていた。それに対して、第三円柱面５４ａの半径と、第一円柱面５５ａの半径と、第四円柱面５７ａの半径とが等しく、面５５ｄがこれら円柱面５４ａ，５５ａ，５７ａと径の等しい円柱面であってもよい。この場合、これらの面５４ａ，５５ａ，５７ａ，５５ｄの半径は、第二・第五円柱面５６ａ，５８ａの半径よりも大きい。
【００３７】
続いて、図１２、図１３を参照して、回転シェード５０を用いた車両用灯具１について説明する。図１２は、車両用灯具１を斜め前から見て示した概略斜視図である。図１３は、車両用灯具１を斜め後ろから見て示した分解斜視図である。図１２では、回転シェード５０を詳細に図示するため、各種の部品の図示を省略する。
【００３８】
以下の説明において、「上」、「下」、「前」、「後」、「左」、「右」は、それぞれ、車両用灯具が装備された車両の「上」、「下」、「前」、「後」、「左」、「右」である。従って、車両の後ろから前に向かって見て(いわゆる運転手の視点で見て)、「左」、「右」を定める。
【００３９】
この車両用灯具１は、左側通行用の右の前照灯として用いられるものである。この車両用灯具１は、リフレクタ２、バルブ５、投影レンズ６及び遮光装置２０等を備える。
【００４０】
リフレクタ２が略椀状に設けられ、そのリフレクタ２が前方に向けて開口している。リフレクタ２の内面にはアルミ蒸着、銀塗装等の反射膜が施されていて、その内面が反射面３となっている。反射面３は、楕円面の形状に形成されている。楕円面とは、前後方向に延びた中心軸を回転軸とした回転楕円面若しくは扁平楕円面又はこれらを基調とした自由曲面をいう。扁平楕円面とは、前後方向に延びた中心軸を回転軸とした回転楕円面が上下又は左右につぶれたものをいう。また、反射面３は、これらの回転楕円面、扁平楕円面又は自由曲面を組み合わせた複合楕円面であってもよい。
【００４１】
反射面３が楕円面に形成されているので、その楕円面の頂点よりも前方に第一焦点Ｆ１が設定され、その第一焦点Ｆ１よりも前方に第二焦点Ｆ２が設定される。なお、反射面３が扁平楕円面又はそれを基調とした自由曲面に形成されている場合には、第二焦点Ｆ２は焦線をいう。焦線は水平左右方向に延びるとともに、左右方向の中央部が後ろに凸となるよう湾曲している。
【００４２】
反射面３の頂点には、リフレクタ２を前後に貫通する装着孔４が形成されている。光源としてのバルブ５がリフレクタ２の後ろから装着孔４に通され、そのバルブ５が固定具（図示略）によってリフレクタ２に固定され、そのバルブ５がリフレクタ２内に配置されている。バルブ５は、その長手方向が前後方向になるように配置されている。また、バルブ５は、その発光部が第一焦点Ｆ１又はその近傍に位置するように配置されている。発光部とは、バルブ５が放電灯である場合には発光管（放電部）であり、バルブ５がハロゲン電球、白熱電球等である場合にはフィラメントである。
【００４３】
なお、バルブ５の長手方向が前後方向に対して交差するようにバルブ５が配置されていてもよい。例えば、バルブ５の長手方向が左右方向になるように、バルブ５が横置きに配置されていてもよい。
【００４４】
バルブ５の代わりに、発光ダイオード、レーザーダイオード、無機エレクトロルミネッセンス素子、有機エレクトロルミネッセンス素子その他の発光素子を用いてもよい。発光素子を用いた場合、発光素子が第一焦点Ｆ１又はその近傍に配置されている。
【００４５】
バルブ５の発光部から発した光が反射面３によって前方に反射される。バルブ５の発光部が反射面３の第一焦点Ｆ１又はその近傍に配置されているから、バルブ５から発して反射面３で反射した光が第二焦点Ｆ２に集光する。
【００４６】
リフレクタ２の前には、投影レンズ６が配設されている。この投影レンズ６は、凸レンズである。投影レンズ６がレンズ枠７内に取り付けられ、そのレンズ枠７が遮光装置２０の枠体２１の前側に取り付けられている。その枠体２１がリフレクタ２の開口部の縁部分に取り付けられ、投影レンズ６がリフレクタ２の開口部を前側から塞ぐように配置されている。投影レンズ６の後ろ側焦点Ｆ３が反射面３の第二焦点Ｆ２又はその近傍に設定され、投影レンズ６の光軸Ａｘが焦点Ｆ３を通って前後方向に延びるように設定されている。投影レンズ６の光軸Ａｘが反射面３の中心軸に揃っていてもよいし、反射面３の中心軸から僅かにずれていてもよい。投影レンズ６は、第二焦点Ｆ２に集光した反射光を前方に投射する。
【００４７】
遮光装置２０は、枠体２１、軸受３２，３３、回転シェード５０、直動駆動部６０及び回転駆動部７０等を備える。
【００４８】
枠体２１は、リフレクタ２とレンズ枠７との間に挟まれた状態でリフレクタ２及びレンズ枠７に固定されている。この枠体２１に半円形状の開口２２が形成されている。その開口２２の円弧状の縁が上側に位置し、開口２２の直線状の縁２３が下側に位置するように枠体２１が配置されている。光軸Ａｘは、開口２２内を前後に通っている。
【００４９】
この枠体２１の後ろ側には、回転シェード５０が配置されている。
回転シェード５０の回転軸５２，５３がそれぞれ軸受３２，３３に挿入されて、回転シェード５０が軸受３２，３３によって支持されている。回転軸５２，５３のラジアル荷重が軸受３２，３３に受けられ、回転軸５２，５３が軸受３２，３３に対して軸方向（軸線５１の方向）にスライドするとともに、軸線５１を中心にした周方向に回転する。これら軸受３２，３３は、それぞれ固定部材３４，３５によって枠体２１の後ろ側に固定されている。軸受３２が開口２２の左脇に配置され、軸受３３が開口２２の右脇に配置されている。回転軸５２が左側に配置され、回転軸５３が右側に配置され、回転シェード５０が開口２２の下部を左右に横切っている。回転シェード５０は、投影レンズ６の後ろ側焦点Ｆ３の近傍で左右に延在しており、回転シェード５０の軸線５１は、水平になっている。
【００５０】
軸線５１の上下方向の位置は、光軸Ａｘを通る水平面（以下、基準水平面Ｈという。）よりもわずかに下である。具体的には、軸線５１の上下方向の位置は、基準水平面よりも、第二円柱面５６ａの半径に等しい距離だけ下である。そのため、第二円柱面５６ａが上向きになった場合には、基準水平面Ｈが第二円柱面５６ａの接平面（tangential plane）となる。なお、軸線５１と基準水平面Ｈの間の間隔が、第二円柱面５６ａの半径よりも狭くてもよい。また、以下、光軸Ａｘを通る鉛直面を基準鉛直面Ｖという。
【００５１】
直動駆動部６０は、回転シェード５０を軸線５１の方向に直動させるものである。直動駆動部６０は、モータ６１及び変換機構６２を有する。変換機構６２は、モータ７１の動力を回転シェード５０に伝達するとともに、モータ７１の回転運動を回転シェード５０の直線運動に変換するものである。
【００５２】
回転駆動部７０は、回転シェード５０を軸線５１の回りの周方向に回転させるものである。回転駆動部７０は、モータ７１及び伝動機構７２を有する。伝動機構７２は、モータ７１の動力を回転シェード５０に伝達して、回転シェード５０を回転運動させる。
【００５３】
この車両用灯具１は直動駆動部６０及び回転駆動部７０を駆動するべく、制御部９０を備える。制御部９０は、マイコン及びモータドライバ等を備え、直動駆動部６０のモータ６１と回転駆動部７０のモータ７１を同調制御するものである。ここでの、同調制御とは、直動駆動部６０によって回転シェード５０が軸方向に直動する変位を、螺旋面５９ａの螺旋方向の変位のうち軸方向成分に合わせるとともに、回転駆動部７０によって回転シェード５０が周方向に回転する変位を、螺旋面５９ａの螺旋方向の変位のうち周方向成分に合わせることである。
また、この車両用灯具１は不図示の他車検出センサ及び配光選択スイッチ等を備える。他車検出センサは、電子カメラ及び画像処理回路等を有し、車両の前方にある他車（対向車や先行車）の位置を検出するものである。配光選択スイッチは、ハンドル近傍に設けられている。
【００５４】
続いて、車両用灯具１の動作について説明する。
この車両用灯具１では、直動駆動部６０によって回転シェード５０が左右に直動されたり、回転駆動部７０によって回転シェード５０が回転されたりする。回転シェード５０の左右方向の位置や回転位置が変化することによって、配光パターン（照射範囲）が変化する。以下、図１４〜図１８を参照して、回転シェード５０の位置と配光パターンとの関係について具体的に説明する。ここで、図１４〜図１８のうち（ａ）図は、回転シェード５０が特定の位置にある場合に回転シェード５０を正面から見て示した図面である。（ｂ）図は、回転シェード５０が（ａ）図に示す位置にある場合に、車両用灯具１から前方に所定距離離れた仮想スクリーンに形成される配光パターンを示した等照度線図である。図１４〜図１８の（ｂ）図において、横軸は、基準水平面Ｈと基準鉛直面Ｖと仮想スクリーンの交点をゼロ°として左右の角度を表し、縦軸は、基準水平面Ｈと基準鉛直面Ｖと仮想スクリーンの交点をゼロ°として上下の角度を表す。
【００５５】
（１）すれ違い用ロービーム
運転手が配光選択スイッチを操作して、ロービームを選択すると、その旨を表す信号がスイッチから制御部９０に出力される。そうすると、直動駆動部６０のモータ６１と回転駆動部７０のモータ７１が制御部９０によって駆動されるとともに、同調制御される。
【００５６】
直動駆動部６０のモータ６１が作動すると、回転シェード５０が軸線５１の方向に直動し、回転駆動部７０のモータ７１が作動すると、回転シェード５０が周方向に回転する。そして、図１４（ａ）に示すように、回転シェード５０の直動によって傾斜面５９ｂと第二円柱面５６ａの境界線が基準鉛直面Ｖに揃ったら、制御部９０が直動駆動部６０のモータ６１を停止させる。更に、回転シェード５０の回転によって第三円柱面５４ａが上を向いて、水平面が第三円柱面５４ａの接平面になったら、制御部９０が回転駆動部７０のモータ７１を停止させる。
【００５７】
回転シェード５０が止まった状態では、第一〜第五円柱面５５ａ，５６ａ，５４ａ，５７ａ，５８ａの何れについても水平面が接平面となる。特に、基準水平面Ｈから軸線５１までの距離が第二円柱面５６ａの半径に等しい場合には、基準水平面Ｈが第二円柱面５６ａの接平面となり、更に、基準水平面Ｈよりも上に位置する水平面が第一円柱面５５ａの接平面となる。
【００５８】
バルブ５から発して反射面３で前方へ反射した光が回転シェード５０によって遮光されるから、回転シェード５０が図１４（ａ）に示す位置にある場合には、図１４（ｂ）に示すような配光パターンが車両用灯具１の前方に形成される。図１４に示すように、前又は後ろから見て、回転シェード５０の上縁の形状がカットオフラインＣＬ１，ＣＬ２，ＣＬ３，ＣＬ４，ＣＬ５として仮想スクリーンに投影され、カットオフラインＣＬ１，ＣＬ２，ＣＬ３，ＣＬ４，ＣＬ５よりも下が明部となり、カットオフラインＣＬ１，ＣＬ２，ＣＬ３，ＣＬ４，ＣＬ５よりも上が暗部となる。
【００５９】
具体的には、水平面特に基準水平面Ｈが第二・第五円柱面５６ａ，５８ａの接平面になっているから、横軸に沿った水平カットオフラインＣＬ１が仮想スクリーンに形成される。また、第二・第五円柱面５６ａ，５８ａが基準鉛直面Ｖよりも右に位置しているから、水平カットオフラインＣＬ１が縦軸よりも左に形成される。
【００６０】
水平面が第一円柱面５５ａの接平面になっているから、横軸に沿った水平カットオフラインＣＬ２が仮想スクリーンに形成される。また、第一円柱面５５ａの水平な接平面が基準鉛直面Ｖよりも左に位置しているから、水平カットオフラインＣＬ２が縦軸よりも右に形成される。また、第一円柱面５５ａの水平な接平面が第二・第五円柱面５６ａ，５８ａの水平な接平面よりも上に位置しているから、水平カットオフラインＣＬ２と水平カットオフラインＣＬ１が段違いとなっている。水平カットオフラインＣＬ２が横軸よりも下に位置しているから、対向車に対してグレアを発生させない。
【００６１】
後ろから前に向かって見て、光軸Ａｘに平行な傾斜面５９ｂの接平面が右下りの傾斜面になっているから、右下りの斜めカットオフラインＣＬ３が形成される。斜めカットオフラインＣＬ３は、水平カットオフラインＣＬ１の右端と水平カットオフラインＣＬ２の左端を結ぶ。傾斜面５９ｂと第二円柱面５６ａの境界線が基準鉛直面Ｖに揃っているから、斜めカットオフラインＣＬ３が横軸と縦軸の交点近傍に位置する。なお、傾斜面５９ｂと螺旋面５９ａの境界部分における接平面が光軸Ａｘに平行となっていれば、その接平面によって斜めカットおフランＣＬ３が形成されるので、仮に傾斜面５９ｂがなくとも、螺旋面５９ａによって斜めカットオフラインＣＬ３が形成される。
【００６２】
水平面特に基準水平面Ｈが第三・第四円柱面５４ａ，５７ａの接平面になっているから、横軸に沿った水平カットオフラインＣＬ４が仮想スクリーンに形成される。また、第三・第四円柱面５４ａ，５７ａが第一円柱面５５ａよりも左に位置しているから、水平カットオフラインＣＬ４が水平カットオフラインＣＬ２よりも右に形成される。
【００６３】
後ろから前に向かって見て、光軸Ａｘに平行な段差面５５ｄの接平面が左下りに傾斜しているから、左下りのカットオフラインＣＬ５が形成される。カットオフラインＣＬ５は、水平カットオフラインＣＬ２の右端と水平カットオフラインＣＬ４の左端を結ぶ。
【００６４】
なお、第一円柱面５５ａ、第三円柱面５４ａ及び第四円柱面５７ａの半径が互いに等しく、面５５ｄがこれら円柱面５５ａ，５４ａ，５７ａと径の等しい円柱面である場合、カットオフラインＣＬ４，ＣＬ５は水平カットオフラインＣＬ２に揃った水平カットオフラインとなる。
【００６５】
（２）走行用ハイビーム
運転手が配光選択スイッチを操作して、ハイビームを選択すると、その旨を表す信号がスイッチから制御部９０に出力される。そうすると、直動駆動部６０のモータ６１と回転駆動部７０のモータ７１が制御部９０によって駆動されるとともに、同調制御される。
【００６６】
直動駆動部６０のモータ６１が作動すると、回転シェード５０が軸線５１の方向に直動し、回転駆動部７０のモータ７１が作動すると、回転シェード５０が周方向に回転する。そして、図１５（ａ）に示すように、回転シェード５０の直動によって端面５５ｇが基準鉛直面Ｖの右側まで移動したら、制御部９０が直動駆動部６０のモータ６１を停止させる。更に、回転シェード５０の回転によって平坦面５４ｄ，５６ｄが上を向いて、平坦面５４ｄ，５６ｄが水平になったら、制御部９０が回転駆動部７０のモータ７１を停止させる。回転シェード５０が図１５（ａ）に示す位置にある場合、第二扇形柱部５７の右端と第三扇形柱部５８の左端との間の中間点が基準鉛直面Ｖに揃っている。また、左から右に向かって見て、回転シェード５０が図１４（ａ）に示す位置から反時計回りに所定角度（例えば、２４５°）だけ回転すると、回転シェード５０が図１５（ａ）に示す位置にある。
【００６７】
回転シェード５０が図１５（ａ）に示す位置にあると、上縁となる平坦面５４ｄ，５６ｄが基準水平面Ｈから下に離れている。そのため、バルブ５から発して反射面３で前方へ反射した光が焦点Ｆ２，Ｆ３近傍で遮光されない。ゆえに、図１５（ｂ）に示すような配光パターンが仮想スクリーンに形成される。この配光パターンでは、縦軸近傍でも横軸よりも上に明部が形成されている。従って、前の遠方視認性がよくなっている。
【００６８】
（３）ＡＤＢ（Adaptive Driving Beam）
運転手が配光選択スイッチを操作して、ＡＤＢを選択すると、その旨を表す信号がスイッチから制御部９０に出力される。そうすると、直動駆動部６０のモータ６１と回転駆動部７０のモータ７１が制御部９０によって駆動されるとともに、同調制御される。
【００６９】
具体的には、制御部９０は、他車検出センサによって検出された他車の位置情報を他車検出センサから入力した後、直動駆動部６０のモータ６１と回転駆動部７０のモータ７１を同調制御する。同調制御に際しては、制御部９０が、位置情報に相当する位置に配光パターンの暗部が重なるような位置にまで回転シェード５０が移動するように、直動駆動部６０のモータ６１と回転駆動部７０のモータ７１を同調制御する。以後、制御部９０は、このような処理を繰り返す。そうすることで、他車の位置にかかわらず、常に、配光パターンの暗部が他車に重なる。
【００７０】
配光パターンの変化について図１６〜図１８を参照して説明する。左から右に向かって見た場合に図１４（ａ）に示す位置から反時計回りの回転シェード５０の回転角度は、図１６ではα°、図１７ではβ°、図１８ではγ°である。α＜β＜γであり、例えばα＝９０、β＝１２０、γ＝１５０である。
【００７１】
図１６〜図１８のいずれの場合でも、横軸に沿った水平カットオフラインＣＬ１が、第二・第五円柱面５６ａ，５８ａの水平な接平面によって、仮想スクリーンに形成される。これは、ロービームの場合と同様である。
【００７２】
また、図１６，図１７の場合では、横軸に沿った水平カットオフラインＣＬ２が、第一円柱面５５ａの水平な接平面によって、仮想スクリーンに形成される。図１８の場合では、第一円柱面５５ａの上縁の左右の幅が狭いので、水平カットオフラインＣＬ２は図１６，図１７の場合よりも不明瞭である。
【００７３】
図１６（ａ）、図１７（ａ）及び図１８（ａ）に示すように、回転シェード５０が回転しても、螺旋面５９ａの一部が第二円柱面５６ａの水平な接平面よりも上に突き出ている。その螺旋面５９ａのうち第二円柱面５６ａの水平な接平面よりも上に突き出た部分は、前又は後ろから見て、右下りに傾斜した輪郭線を形成している。その輪郭線によって、斜めカットオフラインＣＬ３が仮想スクリーンに形成される。
【００７４】
図１６〜図１８のいずれの場合でも、正面から見て、端面５５ｇが軸線５１よりも上に現れており、第三円柱面５４ａ及び第四円柱面５７ａの全体が基準水平面Ｈよりも下に位置している。さらに、平坦面５４ｅ，５７ｅの全体が基準水平面Ｈよりも下に位置し、第一円柱面５５ａの水平な接平面と、平坦面５４ｅ，５７ｅの上縁を通る水平面との間に段差が形成される。平坦面５４ｅ，５７ｅの上縁よりも上では、反射光が遮光されないので、横軸よりも上に明部Ｌが形成される。この明部Ｌは、縦軸よりも右側に形成される。
【００７５】
上述したように、回転シェード５０が直動駆動部６０によって軸線５１の方向に移動するから、明部Ｌが左右に移動するとともに、横軸よりも上の暗部Ｄの範囲が左右に広がったり、狭まったりする。例えば、端面５５ｇと基準鉛直面Ｖの距離が図１６、図１７、図１８の順に大きいから、明部Ｌの位置は図１６、図１７、図１８の順に右寄りにあり、暗部Ｄの範囲は図１６、図１７、図１８の順に大きい。
【００７６】
制御部９０が直動駆動部６０のモータ６１を制御することによって、回転シェード５０の左右方向の位置が変化するから、暗部Ｄの範囲も変化する。その暗部Ｄが他車に重なるから、他車に対してグレアを発生させない。一方、横軸よりも上に明部Ｌが形成されるから、自車にとっての遠方視認性が高い。
【００７７】
回転シェード５０の左右方向の移動によって端面５５ｇが左右に移動し、暗部Ｄと明部Ｌを分ける縦方向のカットオフラインＣＬ６の位置も左右に変化することで、暗部Ｄの範囲が変化する。このように、暗部Ｄの範囲の変化が、回転シェード５０の回転によってではなく、回転シェード５０の直動によってもたらされるものであって、カットオフラインＣＬ６が、常にほぼ鉛直である。そのため、遮光される光を最小限にすることができ、光のロスを抑えられる。
【００７８】
回転シェード５０が軸線５１の方向に移動するものとしても、斜めカットオフラインＣＬ３の位置が変化せず、常に斜めカットオフラインＣＬ３が横軸と縦軸の交点近傍に位置する。これは、回転シェード５０が軸線５１の方向に移動しても、回転シェード５０が回転するので、螺旋面５９ａのうち第二円柱面５６ａの水平な接平面よりも上に突き出た部分は、軸線５１の方向に移動しないためである。特に、直動駆動部６０と回転駆動部７０が同調制御されているので、斜めカットオフラインＣＬ３の位置が変化しない。斜めカットオフラインＣＬ３の位置が変化しないので、自車の運転手は明るい部分の見え方に違和感を覚えず、対向車の運転手は眩惑しない。
【００７９】
明部Ｌの左右方向の移動は、回転シェード５０の左右方向の移動によって実現されているのであって、投影レンズ６やリフレクタ２が左右方向のスイングによって実現されているのではない。そのため、基本的な配光が変化したり、最も明るい部分が左右に振れたりせず、自車の運転手は前方の見え方に違和感を覚えない。
【００８０】
以上に説明した車両用灯具１は、左の前照灯とともに用いられるものである。左の前照灯によって形成されるロービームやハイビームは、この車両用灯具１のロービームとハイビームと同じである。左の前照灯がＡＤＢのモードで動作する場合、左の前照灯によって形成される配光パターンは、仮想スクリーンの横軸よりも上に形成される明部が縦軸よりも左側で左右に移動する。
【００８１】
〔変形例〕
本発明を適用可能な実施形態は、上述した実施形態に限定されることなく、本発明の趣旨を逸脱しない範囲で適宜変更可能である。以下、幾つかの変形例を挙げる。以下に挙げる変形例は、可能な限り組み合わせてもよい。
【００８２】
〔変形例１〕
上記車両用灯具１は左側通行用の右の前照灯であるが、右側通行用の左の前照灯やその回転シェードは、この車両用灯具１や回転シェード５０を左右に反転させたものである。つまり、車両用灯具１や回転シェード５０の鏡像体が、右側通行用の左の前照灯やその回転シェードである。
【００８３】
〔変形例２〕
回転シェード５０が、単一の駆動源によって軸線５１の方向に移動するとともに、周方向に回転するものとしてもよい。この場合、カム、歯車列等の各種伝動機構によって単一の駆動源の動力を直動成分と回転成分に分解し、直動成分が回転シェード５０に伝達することで回転シェード５０が軸線５１の方向に移動し、回転成分が回転シェード５０に伝達することで回転シェード５０が周方向に回転する。もちろん、回転成分の速度と、直動成分の速度は、螺旋面５９ａの螺旋形状に応じたものであり、螺旋面５９ａのうち第二円柱面５６ａの水平な接平面よりも上に突き出た部分は左右に移動しない。
【００８４】
〔変形例３〕
螺旋面５９ａが右ねじの螺旋面であってもよい。その場合でも、傾斜面５９ｂは、螺旋面５９ａの右縁に連なる。
【符号の説明】
【００８５】
１  車両用灯具
２  リフレクタ
３  反射面
５  バルブ
６  投影レンズ
２０  遮光装置
３２，３３  軸受
５０  回転シェード
５１  軸線
５２，５３  回転軸
５４  第一扇形柱部
５４ａ  第三円柱面
５４ｄ，５４ｅ，５６ｄ  平坦面
５５  大径部
５５ａ  第一円柱面
５５ｄ  段差面
５５ｇ  端面
５６  小径部
５６ａ  第二円柱面
５６ｄ  平坦面
５７  第二扇形柱部
５７ａ  第四円柱面
５８  第三扇形柱部
５９  段差部
５９ａ  螺旋面
５９ｂ  傾斜面
６０  直動駆動部
７０  回転駆動部
【図１】
0005525389.tif 000002
【図２】
0005525389.tif 000003
【図３】
0005525389.tif 000004
【図４】
0005525389.tif 000005
【図５】
0005525389.tif 000006
【図６】
0005525389.tif 000007
【図７】
0005525389.tif 000008
【図８】
0005525389.tif 000009
【図９】
0005525389.tif 000010
【図１０】
0005525389.tif 000011
【図１１】
0005525389.tif 000012
【図１２】
0005525389.tif 000013
【図１３】
0005525389.tif 000014
【図１４】
0005525389.tif 000015
【図１５】
0005525389.tif 000016
【図１６】
0005525389.tif 000017
【図１７】
0005525389.tif 000018
【図１８】
0005525389.tif 000019